(57)【要約】      （修正有）【課題】各々の消費者が必要とする商品に関し、消費者が買い物を行う地域性を考慮した広告情報を各々の消費者に与える商品情報提供システム、商品情報提供サーバ、商品情報提供プログラムを提供する。【解決手段】商品の消費者に管理される消費者端末３１〜３Ｎと、消費者端末３１〜３Ｎに商品に関する情報を提供する商品情報提供サーバ１０を備えた商品情報提供システム１００であって、商品情報提供サーバ１０は、消費者が購入した購入商品及び当該購入商品を購入した購入店舗に関する情報を取得する購入商品情報取得部と、購入店舗に近い地域にある店舗の商品情報、及び前記購入商品に関連する関連商品情報を取得し、前記商品の広告である広告情報を生成する広告情報生成部と、広告情報生成部にて生成した広告情報を前記消費者端末に送信する広告情報送信部とを備える。【選択図】図１
2008181275.tif 000002
【特許請求の範囲】
【請求項１】
商品の消費者に管理される消費者端末と、当該消費者端末に商品に関する情報を提供する商品情報提供サーバとを備えた商品情報提供システムであって、
前記商品情報提供サーバは、
前記消費者が購入した購入商品及び当該購入商品を購入した購入店舗に関する情報を取得する購入商品情報取得部と、
前記購入店舗に近い地域にある店舗の商品情報、及び前記購入商品に関連する関連商品情報を含む広告情報を生成する広告情報生成部と、
前記広告情報生成部にて生成した広告情報を前記消費者端末に送信する広告情報送信部とを備えた
ことを特徴とする商品情報提供システム。
【請求項２】
前記広告情報生成部は、
前記商品の調理法を記載した調理レシピの人気の度合に基づき、前記調理法に用いられる商品を記載した前記広告情報を生成する
ことを特徴とする請求項１記載の商品情報提供システム。
【請求項３】
商品の消費者に管理される消費者端末に商品に関する情報を提供する商品情報提供サーバであって、
前記消費者が購入した購入商品及び当該購入商品を購入した購入店舗に関する情報を取得する購入商品情報取得部と、
前記購入店舗に近い地域にある店舗の商品情報、及び前記購入商品に関連する関連商品情報を含む広告情報を生成する広告情報生成部と、
前記広告情報生成部にて生成した広告情報を前記消費者端末に送信する広告情報送信部とを備えた
ことを特徴とする商品情報提供サーバ。
【請求項４】
前記広告情報生成部は、
前記商品の調理法を記載した調理レシピの人気の度合に基づき、前記調理法に用いられる商品を記載した前記広告情報を生成する
ことを特徴とする請求項３記載の商品情報提供サーバ。
【請求項５】
商品の消費者に管理される消費者端末に商品に関する情報を提供させる商品情報提供プログラムであって、
コンピュータに、
前記消費者が購入した購入商品及び当該購入商品を購入した購入店舗に関する情報を取得する購入商品情報取得ステップと、
前記購入店舗に近い地域にある店舗の商品情報、及び前記購入商品に関連する関連商品情報を含む広告情報を生成する広告情報生成ステップと、
前記広告情報生成ステップにて生成した広告情報を前記消費者端末に送信する広告情報送信ステップと
を実行させるための商品情報提供プログラム。
【請求項６】
前記広告情報生成ステップにて、
前記商品の調理法を記載した調理レシピの人気の度合に基づき、前記調理法に用いられる商品を記載した前記広告情報を生成させる
請求項５記載の商品情報提供プログラム。
【発明の詳細な説明】
【技術分野】
【０００１】
本発明は、消費者端末に商品に関する情報を提供する商品情報提供システム、商品情報提供サーバ、商品情報提供プログラムに関する。
【背景技術】
【０００２】
従来、ＴＶやラジオ等の放送、或いは新聞の折り込みチラシ等によって、商品の広告が行われている。このような従来の広告方法にあっては、その広告内容は、消費者である全ての視聴者、又は購読者を対象としたものである。つまり、従来の広告方法において、その広告内容の範囲は広く、限られた時間及び限られた記載内容では、その情報を十分に伝えることは困難であった。また、従来の広告は、広範囲の消費者を対象とした記載内容であるため、消費者は、その広告から個々に必要とする情報を見つけ出すことが困難であった。
【０００３】
そこで、近年、特許文献１記載のように、上記問題に鑑み通信ネットワークを介して、特定の消費者に広告を提供するシステムが提供されている。例えば、特許文献１には、放送広告に関連する予め用意された詳細な情報を、消費者の要求に応じて、消費者の管理する端末へ送信するシステムが開示されている。また、特許文献１記載のシステムにあっては、放送する地域毎に対応した放送広告が提供される。
【特許文献１】特開２００５−１５７６２９号公報
【発明の開示】
【発明が解決しようとする課題】
【０００４】
しかしながら、上記特許文献１記載のシステムにあっては、広告の詳細な情報は、消費者の要求により取得できるものである。つまり、視聴者は、積極的に商品に関心を持っていない時、その広告の詳細な情報を取得し忘れる恐れがある。また、特許文献１のシステムは、消費者の住所に対応した商品の広告を提供するものであるが、消費者が買い物をする地域性を考慮したものではない、
【０００５】
本発明は、上述した問題を解消し、各々の消費者が必要とする商品に関し、消費者が買い物を行う地域性を考慮した広告情報を各々の消費者に与える商品情報提供システム、商品情報提供サーバ、商品情報提供プログラムを提供することを目的とする。
【課題を解決するための手段】
【０００６】
本発明の商品情報提供システムは、商品の消費者に管理される消費者端末と、当該消費者端末に商品に関する情報を提供する商品情報提供サーバとを備えた商品情報提供システムであって、前記商品情報提供サーバは、前記消費者が購入した購入商品及び当該購入商品を購入した購入店舗に関する情報を取得する購入商品情報取得部と、前記購入店舗に近い地域にある店舗の商品情報、及び前記購入商品に関連する関連商品情報を含む広告情報を生成する広告情報生成部と、前記広告情報生成部にて生成した広告情報を前記消費者端末に送信する広告情報送信部とを備えたことを特徴とする。
【０００７】
上記のように構成したことで、商品情報提供システムは、消費者の購入商品及び購入店舗に関する情報を取得し、そして、購入店舗に近い地域にある店舗の商品情報と購入商品に関連する関連商品情報に基づき広告情報を生成する。つまり、本システムは、購入商品及びそれに関連する関連商品に関する広告情報を生成することができるので、各々の消費者が必要とする商品に関する広告を消費者に提供することができる。また、本システムは、購入店舗に近い地域に関する広告情報を生成するので、消費者が買い物を行う地域性を考慮した広告を消費者に提供することができる。
【０００８】
また、前記広告情報生成部は、前記商品の調理法を記載した調理レシピの人気の度合に基づき、前記調理法に用いられる商品を記載した前記広告情報を生成する構成としてもよい。このような構成とすることにより、さらに、消費者が興味を持つ広告を提供することができる。
【０００９】
また、本発明の商品情報提供サーバは、商品の消費者に管理される消費者端末に商品に関する情報を提供する商品情報提供サーバであって、前記消費者が購入した購入商品及び当該購入商品を購入した購入店舗に関する情報を取得する購入商品情報取得部と、前記購入店舗に近い地域にある店舗の商品情報、及び前記購入商品に関連する関連商品情報を含む広告情報を生成する広告情報生成部と、前記広告情報生成部にて生成した広告情報を前記消費者端末に送信する広告情報送信部とを備えたことを特徴とする。
【００１０】
また、本発明の商品情報提供プログラムは、商品の消費者に管理される消費者端末に商品に関する情報を提供させる商品情報提供プログラムであって、コンピュータに、前記消費者が購入した購入商品及び当該購入商品を購入した購入店舗に関する情報を取得する購入商品情報取得ステップと、前記購入店舗に近い地域にある店舗の商品情報、及び前記購入商品に関連する関連商品情報を含む広告情報を生成する広告情報生成ステップと、前記広告情報生成ステップにて生成した広告情報を前記消費者端末に送信する広告情報送信ステップとを実行させるためのものである。
【発明の効果】
【００１１】
本発明によれば、各々の消費者が必要とする商品に関し、消費者が買い物を行う地域性を考慮した広告情報を各々の消費者に与えることができる。
【発明を実施するための最良の形態】
【００１２】
以下、本発明の一実施の形態について図面を参照して説明する。
【００１３】
図１は、本発明の一実施の形態における商品情報提供システム１００の構成の例を示すブロック図である。図１に示すように、商品情報提供システム１００は、商品情報提供サーバ１０と、商品生産業者端末２１〜２Ｎ（Ｎは任意の正の整数）と、消費者端末３１〜３Ｎと、小売業者端末４１〜４Ｎを含む。
【００１４】
商品情報提供サーバ１０、商品生産業者端末２１〜２Ｎ、消費者端末３１〜３Ｎ、および小売業者端末４１〜４Ｎは、それぞれ、例えばインターネットなどの通信ネットワーク５０に接続されている。また、商品情報提供サーバ１０は、ＷＷＷサーバなどの情報処理装置によって構成される。
【００１５】
商品情報提供サーバ１０は、各商品の履歴を示す商品履歴情報、各商品に関連する関連商品を示す商品関連情報などの各種の商品情報を格納する商品情報ＤＢ１１と、消費者に関する消費者情報を格納する消費者情報ＤＢ１２と、各店舗の情報を示す店舗情報ＤＢ１３とを備えている。商品履歴情報は、商品の生産履歴や流通履歴を示す情報であって、例えば、商品分類、商品名、商品の生産者・販売元、商品の販売者・販売店、商品の生産地などの各種の情報を含む。なお、商品情報ＤＢ１１及び消費者情報ＤＢ１２は、商品情報提供サーバ１０の内部にあっても外部にあってもよい。
【００１６】
商品生産業者端末２１〜２Ｎは、それぞれ、例えばパーソナルコンピュータや携帯情報端末などの情報処理装置によって構成され、店頭販売される各種の商品を生産する商品生産業者によって管理される。商品生産業者は、本例では、例えばドレッシング等の加工食品を製造する業者を意味する。また、商品生産業者端末２１〜２Ｎは、それぞれ、通信ネットワーク５０に接続するためのソフトウェア及びハードウェアを含む環境を備えているものとする。
【００１７】
消費者端末３１〜３Ｎは、それぞれ、例えばパーソナルコンピュータや携帯情報端末などの情報処理装置によって構成され、商品を購入する消費者によって管理される。また、消費者端末３１〜３Ｎは、それぞれ、通信ネットワーク５０に接続するためのソフトウェア及びハードウェアを含む環境を備えている。
【００１８】
小売業者端末４１〜４Ｎは、それぞれ、例えばパーソナルコンピュータや携帯情報端末などの情報処理装置によって構成され、商品を小売りする店舗の小売業者によって管理される。また、小売業者端末４１〜４Ｎは、それぞれ、通信ネットワーク５０に接続するためのソフトウェア及びハードウェアを含む環境を備えているものとする。
【００１９】
図２及び図３は、商品情報ＤＢ１１に格納されている商品履歴情報及び商品関連情報の例を示す説明図である。図２に示すように、商品履歴情報は、商品を識別するための商品識別ＩＤ（商品識別情報）、商品が加工されて製造された年月日、××ドレッシング、○○鍋のもとや△△ソースなどの商品名称、商品に含まれる複数の原材料を特定するための原材料ＩＤを含む。また、商品履歴情報は、商品を製造（加工）した製造元の名称等も含む。
【００２０】
図３に示すように、商品関連情報は、商品識別ＩＤ、商品名称、関連商品を特定するための関連商品ＩＤ、関連商品の名称、商品を販売する店舗の名称等を含む。ここで、例えば、商品名称が「××ドレッシング」である場合、関連商品は、ドレッシングをかける野菜である、「レタス」や「キャベツ」等が関連商品となる。
【００２１】
図４は、消費者情報ＤＢ１２に格納されている消費者情報の例を示す説明図である。図４に示すように、消費者情報は、消費者に関する情報であって、消費者を特定する消費者ＩＤ、消費者名、消費者の連絡先であるメールアドレス、消費者の住所などを含む。また、消費者情報は、消費者が購入した商品の商品識別ＩＤを含む。なお、消費者情報は、消費者が、商品情報提供サーバ１０にアクセスした際に入力して得られる。
【００２２】
図５は、店舗情報ＤＢ１３に格納されている店舗情報の例を示す説明図である。図５に示すように、店舗情報は、店舗を特定するための店舗ＩＤ、店舗の名称（×××店等）、店舗の連絡先、店舗の住所、販売した商品を識別するためのＩＤ、販売した商品の名称等を含む。なお、店舗情報は、小売業者端末４１〜４Ｎより、定期的に更新されるものである。
【００２３】
次に、本例の商品情報提供システム１００の処理について説明する。なお、下記の処理は、商品情報提供サーバ１０，商品生産業者端末２１〜２Ｎ、消費者端末３１〜３Ｎ、小売業者端末４１〜４Ｎの有する各記憶部（例えば、ＨＤＤ）に格納されたコンピュータプログラムを読み出し、各演算部（例えば、ＣＰＵ）等において実行することにより実現されるものである。
【００２４】
先ず、図６を参照して、本例の商品情報提供システム１００における消費者端末３１〜３Ｎから消費者情報を商品情報提供サーバ１０に通知する消費者情報通知処理を説明する。ここでは、消費者Ｘが消費者端末３１を利用して商品情報提供サーバ１０に消費者情報を通知する場合を例に説明する。
【００２５】
消費者情報通知処理において、先ず、消費者端末３１は、消費者Ｘの操作に応じて商品情報提供サーバ１０にアクセスする（ステップＳ１０１）。ステップＳ１０１では、例えば、商品情報提供サーバ１０が開設している商品情報提供サイトのＵＲＬ（Uniform Resource Locator）によりアクセスされる。
【００２６】
消費者端末３１からアクセスがあると、商品情報提供サーバ１０は、消費者の連絡先等の情報を入力させるための消費者情報入力画面を生成し、消費者端末３１に送信する（ステップＳ１０２）。
【００２７】
消費者端末３１は、商品情報提供サーバ１０からの消費者情報入力画面を、自己が備える表示装置に表示する（ステップＳ１０３）。消費者情報入力画面には、例えば、図７に示すように、消費者の氏名を入力するための消費者氏名入力領域、連絡先となるメールアドレスを入力するためのアドレス入力領域、消費者の住所を入力するための住所入力領域、各種情報を入力し次の処理に進む際に押下される決定ボタンなどが設けられている。
【００２８】
消費者情報入力画面が表示されると、消費者Ｘは、消費者端末３１が備えるキーボードなどの入力装置を操作して、消費者の氏名を消費者氏名入力領域に入力し、メールアドレスをアドレス入力領域に入力し、住所を住所入力領域に入力する。
【００２９】
そして、消費者端末３１は、決定ボタンの押下を受け付けると、消費者Ｘによって入力された消費者氏名、メールアドレス、及び住所（消費者情報）を商品情報提供サーバ１０に送信する（ステップＳ１０４）。
【００３０】
消費者情報を受信すると、商品情報提供サーバ１０は、受信した消費者情報を消費者情報ＤＢ１２に格納する（ステップＳ１０５）。そして、商品情報提供サーバ１０は、消費者端末３１にユーザＩＤを送信する（ステップＳ１０６）。
【００３１】
次に、図８を参照して、消費者に広告を提供する広告情報提供処理について説明する。ここでは、消費者Ｘが消費者端末３１を利用して広告を要求する場合を例に説明する。
【００３２】
広告情報提供処理において、先ず、消費者端末３１は、消費者Ｘの操作に応じて商品情報提供サーバ１０にアクセスする（ステップＳ２０１）。ステップＳ２０１では、例えば、商品情報提供サーバ１０が開設している商品情報提供サイトのＵＲＬ（Uniform Resource Locator）によりアクセスされる。
【００３３】
消費者端末３１からアクセスがあると、商品情報提供サーバ１０は、消費者を一意に特定するユーザＩＤを入力させるためのユーザＩＤ等入力画面を生成し、消費者端末３１に送信する（ステップＳ２０２）。
【００３４】
消費者端末３１は、商品情報提供サーバ１０からのユーザＩＤ等入力画面を、自己が備える表示装置に表示する（ステップＳ２０３）。ユーザＩＤ入力画面には、消費者にユーザＩＤを入力させるためのＩＤ入力領域、消費者のパスワードを入力するためのパスワード入力領域、各種情報を入力し次の処理に進む際に押下される決定ボタンなどが設けられている。
【００３５】
消費者ＩＤ等入力画面が表示されると、消費者Ｘは、消費者端末３１が備えるキーボードなどの入力装置を操作して、消費者ＩＤをＩＤ入力領域に入力し、パスワードをパスワード入力領域に入力する。
【００３６】
そして、消費者端末３１は、決定ボタンの押下を受け付けると、消費者Ｘによって入力された消費者ＩＤ等を商品情報提供サーバ１０に送信する（ステップＳ２０４）。
【００３７】
消費者ＩＤ等を受信すると、商品情報提供サーバ１０は、受信した消費者ＩＤ等が予め登録された消費者ＩＤ等と一致するか否かを識別する（ステップＳ２０５）。そして、商品情報提供サーバ１０は、消費者ＩＤが一致すると判断すると、消費者情報ＤＢ１３より消費者が購入した商品を読み出す（ステップＳ２０６）。
【００３８】
続いて、商品情報提供サーバ１０は、消費者が商品を購入した店舗に近い店舗の商品情報、及び関連商品情報を読み出す（ステップＳ２０７）。そして、商品情報提供サーバ１０は、ステップＳ２０７にて読み出した情報に基づき、広告に関する情報を表示する広告画面を作成する（ステップＳ２０８）。
【００３９】
そして、消費者端末３１は、商品情報提供サーバ１０より受信した広告画面を自己の有する表示装置に表示する（ステップＳ２０９）。
【００４０】
次に、ステップＳ２０７、及びステップＳ２０８の処理を、図９及び図１０を参照して説明する。図９は、各々の店舗の位置と、各々の店舗の在庫の関係を示す図であり、図１０は、図９に示した場合における広告画面の一例を示す図である。
【００４１】
図９には、店Ａ〜店Ｆが示されている。ここで、ユーザＸは、店Ａで「××ドレッシング」を購入したとする。また、店Ｃ、店Ｅ、及び店Ｆは、「レタス」の在庫があるものとする。また、店Ａから所定距離（例えば、直線距離２ｋｍ等）以内にある店は、店Ａに近いと認定されるものとする。図９に示す例にあっては、店Ｂ、店Ｃ、及び店Ｅが、店Ａに近いと認定される。つまり、ステップＳ２０７においては、「××ドレッシング」の関連商品である「レタス」の情報が読み出される。また、ステップＳ２０７において、店Ａの近くの店Ｅ、店Ｃの商品関連情報が読み出される。なお、店Ｆの商品関連情報は、店Ａから離れているので読み出されない。
【００４２】
図１０に示す、広告画面の上部には、ユーザＸの「店Ａ」で購入した、「××ドレッシング」に基づいて作成したものであるとの記載が表示される。また、広告画面の左部には、「××ドレッシング」の関連商品である「レタス」の広告が表示される。また、広告画面の右部には、その他店Ａの近く（店Ａ、店Ｂ、店Ｃ、店Ｅ）で購入可能な商品（白菜、大根、リンゴ、トマト、プリン、豚肉等）の広告が表示される。
【００４３】
以上に説明したように、上述した一実施形態では、商品情報提供システム１００は、消費者の購入商品及び購入店舗に関する情報を取得し、続いて、購入店舗に近い地域にある店舗の商品情報と購入商品に関連する関連商品情報に基づき広告情報を生成する。つまり、商品情報提供システム１００は、購入商品及びそれに関連する関連商品に関する広告情報を生成することができるので、各々の消費者が必要とする商品に関する広告を消費者に提供することができる。また、商品情報提供システム１００は、購入店舗に近い地域に関する広告情報を生成するので、消費者が買い物を行う地域性を考慮した広告を消費者に提供することができる。また、例えば、チェーン店において、本店と姉妹店との店舗情報を商品情報提供サーバ１０に登録し、商品情報提供サーバ１０に本店と姉妹店に関する広告を優先的に生成するようにさせる。このようにすれば、消費者が競合店で買っている商品に関連づけて、消費者に本店或いは姉妹店で商品を購入するように促すことができる。
【００４４】
上述した商品情報提供システムは、本発明の一実施形態であり、上述した構成に限られるものではない。例えば、商品情報提供サーバ１０は、商品情報ＤＢ１１内に図１１に示す人気レシピランキング情報を格納しており、人気レシピランキング情報に基づき広告を生成する構成であってもよい。なお、人気レシピランキング情報は、商品の調理法を記載した調理レシピの人気の度合を示すものである。図１１に示すように、人気レシピランキング情報には、料理レシピを特定するための料理レシピＩＤ、料理名称（エビフライ、カレーライス、ハンバーグ等）、人気ランキング（１位、２位、３位等）、材料名等を含む。料理名称が、「エビフライ」であれば、材料名には、「○産エビ」、「△△油」等が含まれる。例えば、人気ランキング１位である「エビフライ」においては、その材料名である「△△油」を使った商品（例えば、「トンカツ」等）を含む広告画面を生成する。このような構成とすることにより、さらに、消費者が興味を持つ広告を提供することができる。
【図面の簡単な説明】
【００４５】
【図１】本発明の一実施の形態における商品情報提供システムの構成の例を示すブロック図である。
【図２】商品履歴情報の例を示す説明図である。
【図３】商品関連情報の例を示す説明図である。
【図４】消費者情報の例を示す説明図である。
【図５】店舗情報の例を示す説明図である。
【図６】消費者情報通知処理を説明するフローチャートである。
【図７】消費者情報入力画面の例を示す図である。
【図８】広告情報提供処理を説明するフローチャートである。
【図９】店舗の位置と、各々の店舗の在庫の関係を示す図である。
【図１０】広告画面の一例を示す図である。
【図１１】人気レシピランキング情報の一例を示す図である。
【符号の説明】
【００４６】
１０        商品情報提供サーバ
１１        商品情報ＤＢ
２１〜２Ｎ  商品生産業者端末
３１〜３Ｎ  消費者端末
４１〜４Ｎ  小売業者端末
５０        通信ネットワーク
１００      商品情報提供システム
【図１】
2008181275.tif 000003
【図２】
2008181275.tif 000004
【図３】
2008181275.tif 000005
【図４】
2008181275.tif 000006
【図５】
2008181275.tif 000007
【図６】
2008181275.tif 000008
【図７】
2008181275.tif 000009
【図８】
2008181275.tif 000010
【図９】
2008181275.tif 000011
【図１０】
2008181275.tif 000012
【図１１】
2008181275.tif 000013